(57)【特許請求の範囲】
【請求項１】
走査線と、
データ線と、
前記走査線と前記データ線との交差に対応して設けられた画素電極と、
前記画素電極に対向配置される対向電極と、
前記データ線と前記画素電極との間にて、前記走査線に印加される走査信号に基づいて導通状態または非導通状態となるスイッチング素子と、
前記走査線を順次選択する走査信号を供給する走査線駆動回路と、
１水平期間以上の所定数の水平期間で前記対向電極の電位の所定電位に対する極性を反転することによってコモン反転駆動させるコモン電圧駆動手段と、
映像信号を供給する信号源からの画素信号の少なくとも一組を、時分割して少なくとも一組のシリアル信号に変換して出力するデータ線駆動回路と、
前記データ線駆動回路からのシリアル信号を並列変換してデータ線に振り分け前記データ線に供給するデマルチプレクサ部と、
前記コモン電圧駆動手段によって前記対向電極の電位の極性が反転したときに、その極性反転前後での前記画素電極に印加される電位の変化量を演算し、その演算結果に基づいて、前記コモン反転駆動の極性反転ごとに生じる画素電極の電位変動を補償する電位変動補償手段と、を備え、
前記電位変動補償手段は、
前記信号源からの画素信号を１フレーム分記憶する記憶手段と、
前記信号源から供給される少なくとも一組画素信号の組と、当該画素信号と同じ位置の画素信号であって前記記憶手段にて記憶した１フレーム前の少なくとも一組の画素信号の組とを比較し、１フレーム前後での画素信号レベルの誤差を算出する演算手段と、を有し、
前記演算手段の算出結果に基づいて、１フレームにつき少なくとも一組の画素信号の組ごとに補償電圧を生成し、前記信号源から供給される少なくとも一組の画素信号の組における最初の信号について前記コモン電圧駆動手段が前記１水平期間以上の所定数の水平期間ごとにコモン反転駆動したときに生じる画素電極の電位変動を補償する
ことを特徴とする電気光学装置。
【請求項２】
前記電位変動補償手段は、
前記信号源からの画素信号が静止画信号である場合、前記補償電圧を以降の前記信号源から供給されるフレーム単位の画像信号に対して用いて、少なくとも一組の画素信号における組全ての最初の信号の画素電極の電位変動を継続して補償することを特徴とする請求項１に記載の電気光学装置。
【請求項３】
走査線と、
データ線と、
前記走査線と前記データ線との交差に対応して設けられた画素電極と、
前記画素電極に対向配置される対向電極と、
前記データ線と前記画素電極との間にて、前記走査線に印加される走査信号に基づいて導通状態または非導通状態となるスイッチング素子と、
前記走査線を順次選択する走査信号を供給する走査線駆動回路と、
１水平期間以上の所定数の水平期間で前記対向電極の電位の所定電位に対する極性を反転することによってコモン反転駆動させるコモン電圧駆動手段と、
映像信号を供給する信号源からの画素信号の少なくとも一組を、時分割して少なくとも一組のシリアル信号に変換して出力するデータ線駆動回路と、
前記データ線駆動回路からのシリアル信号を並列変換してデータ線に振り分け前記データ線に供給するデマルチプレクサ部と、
前記コモン電圧駆動手段によって前記対向電極の電位の極性が反転したときに、その極性反転前後での前記画素電極に印加される電位の変化量を演算し、その演算結果に基づいて、前記コモン反転駆動の極性反転ごとに生じる画素電極の電位変動を補償する電位変動補償手段と、を備え、
前記電位変動補償手段は、
前記信号源からの画素信号を前記１水平期間以上の所定数の水平期間分記憶する記憶手段と、
前記記憶手段にて記憶した１水平期間以上の所定数の水平期間前の少なくとも一組の画素信号の組と、該画素信号に続けて前記信号源から供給される前記１水平期間以上の所定数の水平期間と同じ期間分における少なくとも一組の画素信号の最初の画素信号の組とを比較し、前記画素電極に印加される電圧の変化量を算出する演算手段と、を有し、
前記演算手段の算出結果に基づいて、前記１水平期間以上の所定数の水平期間につき少なくとも一組の画素信号の組ごとに補償電圧を生成し、前記信号源から供給される少なくとも一組の画素信号の組ごとの最初の信号について前記コモン電圧駆動手段が前記１水平期間以上の所定数の水平期間ごとにコモン反転駆動したときに生じる画素電極の電位変動を補償する
ことを特徴とする電気光学装置。
【請求項４】
請求項１乃至３のいずれか１つに記載の電気光学装置を備えたことを特徴とする電子機器。
【発明の詳細な説明】
【技術分野】
【０００１】
本発明は、多マルチプレクス駆動をＲ，Ｇ，Ｂ信号に適用し、多マルチプレクス駆動でかつコモン反転駆動を行う際に、画素電極に印加される電圧の変動を防ぎ、色むらの低減を図った電気光学装置及び電子機器に関する。
【背景技術】
【０００２】
通常、電気光学装置、例えば液晶装置は、複数の走査線（以下、ゲート線という）と複数のデータ線（以下、ソース線という）の交差部に複数の画素からなる表示部を形成し、これを利用してビデオ信号を表示する。液晶装置は、各画素のデータ信号に基づいて光透過量が制御される複数の液晶セルと、ソース線から液晶セルに供給されるデータ信号を切り換えるための薄膜トランジスタ（ＴＦＴという：Thin Film Transistorの略）と、ゲート線及びソース線をそれぞれ駆動する走査線駆動回路（以下、ゲートドライバという）及びデータ線駆動回路（以下、ソースドライバという）を有した駆動回路部分と、を含んでいる。
【０００３】
多マルチプレクス駆動の液晶装置では、ソースドライバから液晶表示部へ供給する画素信号の配線数を低減するために、駆動回路部分にマルチプレクサ部を含んでおり、例えばＲ，Ｇ，Ｂ３つの信号をマルチプレクス（ＭＰＸ：時分割多重）して一組のシリアル信号（ここではＲ，Ｇ，Ｂ３つの信号が時分割多重された直列信号を意味する）に変換して出力し、このシリアル信号を液晶表示部の近辺に設けたデマルチプレクサ部にてデマルチプレクス（ＤＭＰＸ：直並列変換）することによってＲ，Ｇ，Ｂ信号に分解してそれぞれをＲ，Ｇ，Ｂのソース線に振り分け、行方向に並んだ画素電極へデータの書き込みを行なう。これにより、ソースドライバから液晶表示部へ配線する複数（例えば３つ）の信号線数を１本にすることが可能となり、液晶表示部への信号配線数を大幅に削減することができる。これにより、液晶表示部の入力端子数が膨大なものとなるＨＤＴＶ等の高精細表示においては、その入力端子数の削減に特に有用である（例えば、特許文献１参照）。
【０００４】
一方、液晶装置においては、液晶の劣化を防ぐために、一定周期で液晶に印加する電圧の極性反転が行われる。例えば、フレーム毎に画素電極への液晶印加電圧の極性を切り換えるフレーム反転駆動や、１水平ラインあるいは複数の水平ライン毎に画素電極への液晶印加電圧の極性を反転させるＨライン反転駆動、画素単位で画素電極への液晶印加電圧の極性を切り換えるＨＶ反転駆動などが知られている。なお、Ｈライン反転駆動やＨＶ反転駆動では、極性の正負の非対称に基づいたフリッカ発生を目立たさせないようにする利点がある。しかし、液晶を駆動するためには、正極側の一定電圧が必要とされ、対向電極電圧を固定電位として前記の極性反転駆動を行うためには、負極側にも一定電圧が必要とされるので、駆動回路の出力は前記一定電圧の２倍の電圧のダイナミックレンジと精度が要求され、消費電力も増大する。
【０００５】
そこで、Ｈライン反転駆動に加えて、少なくとも１水平ライン毎に対向電極電圧も極性反転させる（Ｈ／コモン反転駆動と呼ぶ）ことにより、駆動回路の出力のダイナミックレンジを小さくしかつ電力消費を低減させることが可能となると共に、ソース線電圧の振幅を低減することができる。なお、以下の記述でコモン反転駆動とは、画素電極に加える液晶印加電圧の極性を反転するのに代りに対向電極電圧を極性反転させるコモン駆動のほかに、上述のＨ／コモン反転駆動をも含めた駆動方法をも含むものとする。
【特許文献１】特開平６−１３８８５１号公報
【発明の開示】
【発明が解決しようとする課題】
【０００６】
ところで、特許文献１のような多マルチプレクス駆動の液晶装置において、コモン反転駆動を行うと、対向電極電圧の極性反転（コモン反転駆動）が行われた直後にデマルチプレクサ部の最初にオンするデマルチプレクススイッチついて、極性反転によりソース線に溜まった電位の変動に起因して、該デマルチプレクスイッチから画素電極に供給されるソース線の電位に変動が生じ、その結果画素電極にかかる電位が変動し、色むらの原因となる問題があった。すなわち、Ｒ，Ｇ，Ｂを一組とするシリアル信号をパラレル信号にデマルチプレクサ部にて変換する場合、Ｒ，Ｇ，Ｂ信号のうち最初に選択されるデマルチプレクススイッチの信号がＲ信号であるとすると、最初のＲ信号がデマルチプレクススイッチから出力される際に、コモン反転駆動に起因したソース線の電位変動により最初に供給されるＲ画素電極へのＲ信号の電圧が理想電位から降下し、その降下量は他のＧ，Ｂ信号のソース線の電位の変化量に比べて最も大きいために、Ｒ，Ｇ，Ｂ信号間での相対的な信号レベルのバランスが、本来あるべき信号レベル間のバランスから外れ、アンバランスとなり、色むらとなって表示される欠点があった。
【０００７】
そこで、本発明は、上記の問題に鑑み、コモン反転駆動に起因して生じる画素電極の電位変動を防ぎ、色むらの低減を図ることができる電気光学装置及び電子機器を提供することを目的とするものである。
【課題を解決するための手段】
【０００８】
本発明による電気光学装置は、走査線と、データ線と、前記走査線と前記データ線の交差に対応して設けられた画素電極と、前記画素電極に対向配置される対向電極と、前記データ線と前記画素電極との間にて、前記走査線に印加される電圧に基づいて導通状態または非導通状態となるスイッチング素子と、を具備する電気光学装置であって、前記走査線を順次選択する電圧を供給する走査線駆動回路と、前記対向電極の電圧を１水平期間以上の所定数の水平期間で極性反転することによってコモン反転駆動させるコモン電圧駆動手段と、映像信号を供給する信号源からの画素信号の少なくとも一組を、時分割して少なくとも一組のシリアル信号に変換して出力するデータ線駆動回路と、前記データ線駆動回路からのシリアル信号を並列変換してデータ線に振り分け前記データ線に供給するデマルチプレクサ部と、前記コモン電圧駆動手段によって前記対向電極の電圧極性が反転したときに、その極性反転前後での前記画素電極に印加される電圧の変化量を演算し、その演算結果に基づいて、前記コモン反転駆動の極性反転ごとに生じる画素電極の電位変動を補償する電位変動補償手段と、を備えたものである。
【０００９】
このような本発明の構成によれば、多マルチプレクス駆動でかつコモン反転駆動を行う電気光学装置において、その極性反転前後での正極性の画素信号と負極性の画素信号と（互に逆極性同士の画素信号）を比較し、画素電極に印加される電圧の変化量に基づき補償電圧を得て、コモン反転駆動に起因して生じる画素電極の電位変動を防ぎ、色むら等の低減を図ることができる。
【００１０】
本発明において、前記電位変動補償手段は、前記信号源からの画素信号を１フレーム分記憶する記憶手段と、前記信号源から供給される少なくとも一組画素信号の組と、当該画素信号と同じ位置の画素信号であって前記記憶手段にて記憶した１フレーム前の少なくとも一組の画素信号の組とを比較し、１フレーム前後での画素信号レベルの誤差を算出する演算手段と、を有し、前記演算手段の算出結果に基づいて、１フレームにつき少なくとも一組の画素信号の組ごとに補償電圧を生成し、前記信号源から供給される少なくとも一組の画素信号の組における最初の信号について前記コモン電圧駆動手段が前記１水平期間以上の所定数の水平期間ごとにコモン反転駆動したときに生じる画素電極の電位変動を補償することを特徴とする。
【００１１】
このような構成によれば、多マルチプレクス駆動でかつコモン反転駆動を行う電気光学装置において、デマルチプレクサ部の各デマルチプレクサの最初に選択されるデマルチプレクススイッチの最初の信号（例えばＲ信号）のソース線電位（Ｒ信号画素電極に印加される電圧）の変化量に基づく誤差分を補償して、該デマルチプレクススイッチのオンによる画素電極への画素書き込み時に実効電圧が低下するのを防ぎ、色むらを無くすことが可能となる。
【００１２】
本発明において、前記電位変動補償手段は、前記信号源からの画素信号が静止画信号である場合、前記補償電圧を以降の前記信号源から供給されるフレーム単位の画像信号に対して用いて、少なくとも一組の画素信号における組全ての最初の信号の画素電極の電位変動を継続して補償することを特徴とする。
【００１３】
このような構成によれば、映像信号が静止画信号である場合、始めに前後のフレームの同じ位置の画素信号同士で演算を行い、それに基づい生成した補償電圧を、それ以降の毎フレームにおける少なくとも一組の画素信号（例えばＲ，Ｇ，Ｂ画素信号）の組全ての最初の信号の画素電極の電位変動補償に用いることができる。
【００１４】
本発明において、前記電位変動補償手段は、前記信号源からの画素信号を前記１水平期間以上の所定数の水平期間分記憶する記憶手段と、前記記憶手段にて記憶した１水平期間以上の所定数の水平期間前の少なくとも一組の画素信号の組と、該画素信号に続けて前記信号源から供給される前記１水平期間以上の所定数の水平期間と同じ期間分における少なくとも一組の画素信号の最初の画素信号の組とを比較し、前記画素電極に印加される電圧の変化量を算出する演算手段と、を有し、前記演算手段の算出結果に基づいて、前記１水平期間以上の所定数の水平期間につき少なくとも一組の画素信号の組ごとに補償電圧を生成し、前記信号源から供給される少なくとも一組の画素信号の組ごとの最初の信号について前記コモン電圧駆動手段が前記１水平期間以上の所定数の水平期間ごとにコモン反転駆動したときに生じる画素電極の電位変動を補償することを特徴とする。
【００１５】
このような構成によれば、多マルチプレクス駆動でかつコモン反転駆動を行う電気光学装置において、デマルチプレクサ部の各デマルチプレクサの最初に選択されるデマルチプレクススイッチの最初の信号（例えばＲ信号）のソース線電位（Ｒ信号画素電極に印加される電圧）の変化量に基づく誤差分を補償して、該デマルチプレクススイッチのオンによる画素電極への画素書き込み時に実効電圧が低下するのを防ぎ、色むらを無くすことが可能となる。
【００１６】
本発明による電子機器は、上記の電気光学装置を備えたことを特徴とする。  
このような構成によれば、コモン反転駆動に起因して生じる画素電極の電位変動を防ぎ、色むらの低減可能な電気光学装置を備えた電子機器を実現できる。
【発明を実施するための最良の形態】
【００１７】
発明の実施の形態について図面を参照して説明する。  
図１は本発明に係る電気光学装置の概略構成を示す図である。
【００１８】
図１において、電気光学装置は、複数のデータ線（以下、ソース線）１と、このソース線１に略直交して配置される複数の走査線（以下、ゲート線）２と、この複数のソース線１および複数のゲート線２の複数の交差に対応して設けられた複数のスイッチング素子３と、この複数のスイッチング素子３に対応して設けられた複数の画素電極４と、この複数の画素電極４に対向配置される対向電極５と、画素電極４と対向電極５間に介在する電気光学物質２１と、前記複数のゲート線２を順次駆動する走査線駆動回路（以下、ゲートドライバ）６と、前記複数の対向電極５の電圧を例えば１水平期間（１Ｈと略記）ごとに極性反転（コモン反転駆動）させるコモン電圧駆動手段であるコモン電圧供給源２４と、Ｒ，Ｇ，Ｂの映像信号を供給するビデオ信号源１１からのＲ，Ｇ，Ｂの画素信号の少なくとも一組を、マルチプレクス（時分割多重）して少なくとも一組のＲＧＢシリアル信号に変換して出力するデータ線駆動回路（以下、ソースドライバ）７と、このソースドライバ７からのシリアル信号をデマルチプレクス（直並列変換）してＲ，Ｇ，Ｂのソース線１の少なくとも一組に振り分け、前記複数の画素電極４へデータの書き込みを行なう、表示部８に近接して配置されたデマルチプレクサ部９とを備えている。
【００１９】
複数のスイッチング素子３は画素ごとに設けられており、スイッチング素子３としてはＴＦＴ（電界効果型の薄膜トランジスタ）が用いられている。スイッチング素子３であるＴＦＴは、ソースがソース線１の１つに接続し、ゲートがゲート線２の１つに接続し、ドレインが画素電極４に接続している。ＴＦＴはそのゲートにゲート線２からハイレベル信号が印加されると、ソース・ドレイン間が導通してソース線１からの画素信号が画素電極４に印加されるようになっている。画素電極４は電気光学物質２１を介在して対向電極５に対向して配置され、画素電極４と対向電極５の電位差に応じて電気光学物質２１の光透過率等の光学特性が変化することによって画素信号電圧に応じた濃淡（階調）で表示が可能となる。表示部８の左側に図示されているＨ（ハイレベル），Ｌ（ローレベル）の繰り返しの表示は例えば１水平期間ごとに対向電極電圧が極性反転するコモン反転駆動が行われることを表している。なお、上記のコモン反転駆動は１水平期間以上の所定数の水平期間（即ち、水平期間の自然数倍）ごとに行ってもよい。
【００２０】
デマルチプレクサ部９は、表示部８の内蔵回路として表示部８と一体的に形成されていてもよい。  
ビデオ信号源１１は、Ｒ，Ｇ，Ｂの映像信号を生成してドライバ部１０に供給するものであるが、ビデオ信号源１１からドライバ部１０へ供給する信号形態としては、Ｒ，Ｇ，Ｂの３つの信号が３本の信号線を介してパラレルに同時的にドライバ部１０に供給されていても、或いはＲ，Ｇ，Ｂの３つの信号が１本の信号線を介してシリアルに順次にドライバ部１０に供給されていてもよい。
【００２１】
ゲートドライバ６とソースドライバ７はドライバ部１０を構成しており、ビデオ信号源１１から供給されるＲ，Ｇ，Ｂ信号に基づいてソースドライバ７で生成された多マルチプレクス駆動用（例えば、図２の実施形態は３マルチプレクス駆動、図７の実施形態はは６マルチプレクス駆動）の少なくとも一組のＲＧＢシリアル信号が１つ以上の信号線１２を介してデマルチプレクサ部９に供給される。ソースドライバ７から表示部がわのデマルチプレクサ部９への信号線１２の本数は、表示部８の行方向の画素数よりも多マルチプレクス（多時分割多重）の分だけ少なくすることができる。但し、マルチプレクス数が多くなるほど、１水平期間に画素信号を書き込む時間は短くなる。
【００２２】
デマルチプレクサ部９では、少なくとも一組のＲＧＢシリアル信号をデマルチプレクスすることによってＲ，Ｇ，Ｂ個々の信号に分解し、各組ごとに時間的に順次供給となるパラレル信号ＯＳ1〜ＯＳｍとして、表示部８の複数のソース線１に出力する。なお、ソースドライバ７からは幾組かのシリアル信号のほかに、デマルチプレクサ部９のデマルチプレクススイッチ（例えば、図２の９１，９２，…、図７の９１，９２，…）を順次にオンするための選択信号が、選択信号線１３を介してデマルチプレクサ部９に供給される。
【００２３】
一方、表示部８の複数のゲート線２には、ゲートドライバ６から走査線駆動信号ｇ1〜ｇｎが複数のゲート線２のそれぞれに対し複数の信号線（図示せず）を介して時間的に順次に各々のゲート線２に対して供給され、走査線駆動信号が供給されたゲート線に接続している複数のスイッチング素子３がオンすることによって、そのゲート線のみがアクティブな状態とされる。そのオン状態の複数のスイッチング素子３のソースに、複数のソース線１からＲ，Ｇ，Ｂの映像信号が入力されると、スイッチング素子３のソースからドレイン（即ち画素電極４）へＲ，Ｇ，Ｂの映像信号が書き込まれることになる。
【００２４】
ソースドライバ７は、 ビデオ信号源１１からのＲ，Ｇ，Ｂの画素信号を１フレーム分記憶する記憶手段としてのフレームメモリ１０１と、ビデオ信号源１１から現在供給される少なくとも一組のＲ，Ｇ，Ｂの画素信号の組と、これとフレーム上の位置が同じ画素信号であって前記フレームメモリ１０１にて記憶されている１フレーム前の少なくとも一組のＲ，Ｇ，Ｂの画素信号の組とを比較し、１フレーム前後での画素信号レベルの誤差を算出する演算手段としての演算部１０２と、この演算部１０２の算出結果に基づいて、１フレームにつき少なくとも一組のＲ，Ｇ，Ｂの画素信号の組ごとに補償電圧を生成し、ビデオ信号源１１から供給される少なくとも一組のＲ，Ｇ，Ｂの画素信号の組ごとの最初の信号について前記コモン電圧供給源２４が１水平期間以上の所定数の水平期間（即ち、水平期間の自然数倍）で極性反転（コモン反転駆動）するごとに生じる画素電極４の印加電圧の変動（電位変動）を補償する補償手段を含んだソース出力部１０３と、を備えている。なお、ソース出力部１０３は、ビデオ信号源１１からの少なくとも一組のＲ，Ｇ，Ｂの画素信号を組ごとにシリアル信号に変換して出力するマルチプレクス（時分割多重）機能をも備えている。
【００２５】
一方、ソースドライバ７の他の形態としては、ソースドライバ７は、ビデオ信号源１１からのＲ，Ｇ，Ｂの画素信号を１水平期間以上の所定数の水平期間分記憶する記憶手段としてのメモリ（１０１に相当する）と、このメモリにて記憶した１水平期間以上の所定数の水平期間前の少なくとも一組のＲ，Ｇ，Ｂの画素信号の組と、該画素信号に続けてビデオ信号源１１から供給されるＲ，Ｇ，Ｂの前記１水平期間以上の所定数の水平期間と同じ期間分における少なくとも一組のＲ，Ｇ，Ｂの画素信号の組とを比較し、前記コモン反転駆動における前記１水平期間以上の所定数の水平期間ごとの前記画素電極４に印加される信号電圧の変化量を算出する演算手段としての演算部（１０２に相当）と、この演算部の算出結果に基づいて、前記１水平期間以上の所定数の水平期間につき少なくとも一組のＲ，Ｇ，Ｂの画素信号の組ごとに補償電圧を生成し、ビデオ信号源１１から供給される少なくとも一組のＲ，Ｇ，Ｂの画素信号の組ごとの最初の信号について前記コモン電圧駆動手段が前記１水平期間以上の所定数の水平期間ごとにコモン反転駆動したときに生じる画素電極の電位変動を補償する補償手段を含んだソース出力部（１０３に相当）と、を備えている。なお、この場合も、ソース出力部は、ビデオ信号源（１１に相当）からの少なくとも一組のＲ，Ｇ，Ｂの画素信号を組ごとにシリアル信号に変換して出力するマルチプレクス（時分割多重）機能をも備えていることは勿論である。
【００２６】
なお、図１の構成では、デマルチプレクサ部９はドライバ部１０と別体に構成されているが、ドライバ部１０の内部にデマルチプレクサ部９が含まれる構成となっていてもよい。
【００２７】
［第１の実施形態］
図２は本発明の第１の実施形態の電気光学装置の構成を示す図である。  
本実施形態の電気光学装置では、電気光学物質として液晶を用い、３マルチプレクス駆動でかつコモン反転駆動の液晶装置について説明する。図１と同一機能を果たす部分には同一符号を付して説明する。なお、図２のゲートドライバ及びビデオ信号源は、図１におけるゲートドライバ６及びビデオ信号源１１と同様であるので、図１と同一符号を付してある。
【００２８】
図２において、液晶装置は、複数のソース線１と、このソース線１に略直交して配置される複数のゲート線２と、この複数のソース線１および複数のゲート線２の複数の交差に対応して設けられた複数のスイッチング素子３と、この複数のスイッチング素子３に対応して設けられた複数の画素電極４と、この複数の画素電極４に対向配置される対向電極５と、画素電極４と対向電極５間に介在する電気光学物質としての液晶層２１ａと、複数のゲート線２を順次駆動するゲートドライバ６と、複数の対向電極５の電圧を１水平期間以上の所定数の水平期間ごとに極性反転（コモン反転駆動）させるコモン電圧駆動手段であるコモン電圧供給源２４と、Ｒ，Ｇ，Ｂの映像信号を発生するビデオ信号源１１から供給される一組のＲ，Ｇ，Ｂ信号を、マルチプレクス（時分割多重）して一組のＲＧＢシリアル信号に変換して出力するソースドライバ７Ａと、このソースドライバ７Ａからの一組のＲＧＢシリアル信号を複数組（Ｓ1，Ｓ2，…）、組ごとにデマルチプレクス（直並列変換）してＲ，Ｇ，Ｂの複数組のソース線１に各組につきＲ，Ｇ，Ｂごとに振り分け、対応した複数の画素電極４へデータの書き込みを行なう、液晶表示部８Ａに近接して配置されたデマルチプレクサ部９Ａとを備えている。  
液晶表示部８Ａは、横，縦の画素数がそれぞれ例えば２４０，３２０である。
【００２９】
複数のスイッチング素子３は画素ごとに設けられている。スイッチング素子３としてはＴＦＴ（電界効果型の薄膜トランジスタ）が用いられている。
【００３０】
図３に示すように、スイッチング素子３であるＴＦＴは、そのソースがソース線１の１つに接続し、ゲートがゲート線２の1つに接続し、ドレインが画素電極４に接続している。画素電極４は対向電極５に対向して配置され、両電極４，５間には電気光学物質としての液晶層２１ａが介在している。スイッチング素子３のドレインは、保持容量２２を介して水平ライン毎に共通の容量線２３に接続している。なお、本願の場合、対向電極５は前述のコモン電圧駆動手段としてのコモン電圧供給源２４によって１水平期間以上の所定数の水平期間ごとにそのコモン電位が反転駆動される。
【００３１】
デマルチプレクサ部９は、液晶表示部８Ａの内蔵回路として液晶表示部８Ａと一体的に形成されていてもよい。  
ゲートドライバ６とソースドライバ７Ａはドライバ部を構成している。  
ビデオ信号源１１は、Ｒ，Ｇ，Ｂの映像信号を生成してドライバ部に供給するものであるが、ドライバ部に供給する信号形態としては、Ｒ，Ｇ，Ｂの３つの信号が３本の信号線を介してパラレルに出力されてドライバ部に供給されている場合でも、或いはＲ，Ｇ，Ｂの３つの信号が１本の信号線を介してシリアルに出力されてドライバ部に供給されている場合でもよい。
【００３２】
ビデオ信号源１１から供給されるＲ，Ｇ，Ｂ信号に基づいてソースドライバ７Ａで生成された３マルチプレクス駆動用の少なくとも一組のＲＧＢシリアル信号は１つ以上（実際には液晶表示部８Ａの水平画素数が２４０である場合はその１／３の８０本）の信号線１２を介してデマルチプレクサ部９Ａに供給される。
【００３３】
デマルチプレクサ部９Ａは、ＲＧＢシリアル信号（ＲＧＢ時分割多重信号）を複数組（Ｓ1，Ｓ2，…）、１水平期間に入力して各組同時に１水平ライン分の画素信号を生成し得るように（図４のＯＳ1〜ＯＳ3，ＯＳ4〜ＯＳ6，…）、ＲＧＢシリアル信号の組（Ｓ1，Ｓ2，…）を組ごとにＲ，Ｇ，Ｂの３信号に振り分ける３信号選択用のセレクタが、符号９１，９２，……と複数固、液晶表示部８Ａの１画面の水平方向（行方向）に１水平期間分の画素信号を生成するのに必要な個数（例えば液晶表示部８Ａの水平方向画素数が２４０の場合はその１／３の８０個）並んで配置されている。
【００３４】
なお、ソースドライバ７Ａからは幾組かのシリアル信号（Ｓ1，Ｓ2，…）のほかに、デマルチプレクサ部９Ａの３信号選択用のセレクタ（例えば符号９１）を構成する３つのデマルチプレクススイッチ（例えば符号９１ａ，９１ｂ，９１ｃ）を順次にオンするための選択信号ＳＥＬ１，ＳＥＬ２，ＳＥＬ３が、３本の選択信号線１３を介してデマルチプレクサ部９Ａに供給される。この選択信号ＳＥＬ１，ＳＥＬ２，ＳＥＬ３は、デマルチプレクサ部９Ａの３信号選択用のセレクタ９２を構成する３つのデマルチプレクススイッチ９２ａ，９２ｂ，９２ｃについても前述のセレクタ９１と同様に順次にオンさせることができる。
【００３５】
図４は、図２におけるデマルチプレクサ部９Ａの動作を説明するタイミングチャートを示している。Ｈsyncは水平同期信号、１Ｈは１水平期間、ＳＥＬ１〜ＳＥＬ３はデマルチプレクサ部９Ａで用いられる選択信号、ＯＳ1〜ＯＳｍは複数のソース線１に振り分けられたＲ，Ｇ，Ｂの画素信号を表している。  
デマルチプレクサ部９Ａは、ソースドライバ７Ａからの複数組のＲＧＢシリアル信号Ｓ１，Ｓ2，……を複数のソース線１に割り振るラインセレクタとして機能する。
【００３６】
デマルチプレクサ部９Ａでは、複数組のＲＧＢシリアル信号（Ｓ1，Ｓ2，…）を組ごとに選択信号ＳＥＬ１，ＳＥＬ２，ＳＥＬ３を用いてデマルチプレクスすることによってＲ，Ｇ，Ｂ個々の信号に分解し、各組ごとに同じタイミングで時間順次に分解したパラレル信号（ＯＳ1〜ＯＳ３），（ＯＳ４〜ＯＳ６），……（ＯＳｍ−２〜ＯＳｍ）として、液晶表示部８Ａの複数のソース線１の入力端子Ｄ１〜Ｄｍに出力する。
【００３７】
選択信号ＳＥＬ１，ＳＥＬ２，ＳＥＬ３は、１水平期間を３分割した期間にそれぞれハイレベル信号としてソースドライバ７Ａから供給される。これらの選択信号ＳＥＬ１〜ＳＥＬ３が３信号選択用のセレクタ９１，９２，……のいずれに対しても同じタイミングで供給されるので、各組ごとのパラレル信号（ＯＳ1〜ＯＳ３），（ＯＳ４〜ＯＳ６），……（ＯＳｍ−２〜ＯＳｍ）は１水平期間に選択信号ＳＥＬ１〜ＳＥＬ３とほぼ同じタイミングで液晶表示部８Ａの複数（ｍ本）のソース線１に同時的に供給される。
【００３８】
一方、液晶表示部８Ａの複数のゲート線２には、ゲートドライバ６から液晶表示部８Ａの複数のゲート線２の入力端子Ｇ１〜Ｇｎにそれぞれ走査線駆動信号ｇ1〜ｇｎが図示しない複数の信号線を介して水平期間ごとに順次に各々のゲート線２に対して供給され、走査線駆動信号が供給されたゲート線２に接続したＴＦＴによる複数のスイッチング素子３がオンすることによって、そのゲート線のみが１水平期間アクティブな状態とされ、複数のソース線１からそのオン状態の複数のスイッチング素子３のソースにＲ，Ｇ，Ｂの映像信号が入力され、スイッチング素子３のドレイン（即ち画素電極４）へＲ，Ｇ，Ｂの映像信号が書き込まれることになる。
【００３９】
ソースドライバ７Ａは、 図１で説明したのと同様な構成である。  
ソースドライバ７Ａは、ビデオ信号源１１からのＲ，Ｇ，Ｂ信号を少なくとも１フレーム分記憶する記憶手段としてのフレームメモリ（図１の１０１に相当）と、ビデオ信号源１１から現在供給されている一組のＲ，Ｇ，Ｂの画素信号の組と、これとフレーム上の位置が同じ画素信号であって前記フレームメモリにて記憶した１フレーム前の一組のＲ，Ｇ，Ｂの画素信号の組とを比較し、１フレーム前後での画素信号レベルの誤差を算出する演算手段としての演算部（図１の１０２に相当）と、この演算部１０２の算出結果に基づいて、１フレームにつき少なくとも一組のＲ，Ｇ，Ｂの画素信号の組ごとに補償電圧を生成し、ビデオ信号源１１から供給される一組のＲ，Ｇ，Ｂの画素信号の組ごとの最初の信号について前記コモン電圧供給源２４が所定数の水平期間で極性反転（コモン反転駆動）するごとに生じる画素電極４の印加電圧の変動（電位変動）を補償する補償手段を含んだソース出力部（図１の１０３に相当）と、を備えている。なお、ソース出力部は、ビデオ信号源１１からの一組のＲ，Ｇ，Ｂの画素信号を組ごとにシリアル信号に変換して出力する３マルチプレクス機能をも備えている。
【００４０】
一方、ソースドライバ７Ａの他の形態としては、ソースドライバ７Ａは、ビデオ信号源１１からのＲ，Ｇ，Ｂ信号を１水平期間以上の所定数の水平期間分記憶する記憶手段としてのメモリ（図１の１０１に相当する）と、このメモリにて記憶した１水平期間以上の所定数の水平期間前の一組のＲ，Ｇ，Ｂの画素信号の組と、該画素信号に続けてビデオ信号源１１から供給されるＲ，Ｇ，Ｂの前記１水平期間以上の所定数の水平期間と同じ期間分における一組のＲ，Ｇ，Ｂの画素信号の組の最初の画素信号とを比較し、前記コモン反転駆動の前記１水平期間以上の所定数の水平期間ごとに最初に前記画素電極に印加される電圧の変化量を算出する演算手段としての演算部（図１の１０２に相当）と、この演算部の算出結果に基づいて、前記１水平期間以上の所定数の水平期間につき少なくとも一組のＲ，Ｇ，Ｂの画素信号の組ごとに補償電圧を生成し、ビデオ信号源１１から供給されるＲ，Ｇ，Ｂの画素信号の最初の信号について前記コモン電圧駆動手段が前記１水平期間以上の所定数の水平期間ごとにコモン反転駆動したときに生じる画素電極の電位変動を補償する補償手段を含んだソース出力部（図１の１０３に相当）と、を備えている。なお、この場合も、ソース出力部は、ビデオ信号源１１からの一組のＲ，Ｇ，Ｂの画素信号を組ごとにシリアル信号に変換して出力する３マルチプレクス機能をも備えていることは勿論である。
【００４１】
なお、図２の構成では、デマルチプレクサ部９はゲートドライバ及びソースドライバ７Ａからなるドライバ部と別体に構成されているが、そのドライバ部の内部にデマルチプレクサ部９Ａが含まれる構成となっていてもよい。
【００４２】
デマルチプレクサ部９Ａは、第１,第２,…のデマルチプレクサとしての第１,第２,…の３信号選択用セレクタ９１，９２，……を備えて構成されている。  
例えば、３信号選択用セレクタ９１は、３つのＴＦＴスイッチ９１ａ，９１ｂ，９１ｃを備え、シリアル信号Ｓ１が入力する信号線１２がＴＦＴスイッチ９１ａ，９１ｂ，９１ｃの共通接続されたソースに接続し、ＴＦＴスイッチ９１ａ，９１ｂ，９１ｃの各々のドレインが３本のソース線の入力端子Ｄ１，Ｄ２，Ｄ３にそれぞれ接続し、ＴＦＴスイッチ９１ａ，９１ｂ，９１ｃの各々のゲートが選択信号ＳＥＬ１，ＳＥＬ２，ＳＥＬ３がそれぞれ供給される３本の選択信号線１３に接続している。選択信号ＳＥＬ１，ＳＥＬ２，ＳＥＬ３を用いてソースドライバ７ＡからのＲＧＢシリアル信号Ｓ１を時間的に順次のＲ，Ｇ，Ｂのパラレル信号ＯＳ1，ＯＳ２，ＯＳ３として振り分け、最初の３本のソース線（図示左側）に供給する。
【００４３】
同様にして、３信号選択用セレクタ９２は、３つのＴＦＴスイッチ９２ａ，９２ｂ，９２ｃを備え、シリアル信号Ｓ２が入力する信号線１２がＴＦＴスイッチ９２ａ，９２ｂ，９２ｃの共通接続されたソースに接続し、ＴＦＴスイッチ９２ａ，９２ｂ，９２ｃの各々のドレインが３本のソース線の入力端子Ｄ４，Ｄ５，Ｄ６にそれぞれ接続し、ＴＦＴスイッチ９２ａ，９２ｂ，９２ｃの各々のゲートが選択信号ＳＥＬ１，ＳＥＬ２，ＳＥＬ３がそれぞれ供給される３本の選択信号線１３に接続している。選択信号ＳＥＬ１，ＳＥＬ２，ＳＥＬ３を用いてソースドライバ７ＡからのＲＧＢシリアル信号Ｓ２を時間的に順次のＲ，Ｇ，Ｂのパラレル信号ＯＳ４，ＯＳ５，ＯＳ６として振り分け、次の３本のソース線に供給する。
【００４４】
以下同様にして、最後の３信号選択用セレクタでは、選択信号ＳＥＬ１，ＳＥＬ２，ＳＥＬ３を用いてソースドライバ７Ａからの１水平期間における最後のＲＧＢシリアル信号を時間的に順次のＲ，Ｇ，Ｂのパラレル信号ＯＳｍ−２，ＯＳｍ−１，ＯＳｍとして振り分け、最後の３本のソース線（図示せず）に供給する。  
このように、選択信号ＳＥＬ１〜ＳＥＬ３が３信号選択用のセレクタ９１，９２，……のいずれに対しても同じタイミングで供給されるので、各組ごとのパラレル信号（ＯＳ1〜ＯＳ３），（ＯＳ４〜ＯＳ６），……（ＯＳｍ−２〜ＯＳｍ）は１水平期間に選択信号ＳＥＬ１，ＳＥＬ２，ＳＥＬ３とほぼ同じタイミングで液晶表示部８Ａの複数（ｍ本）のソース線１に同時的に供給され、アクティブ状態のゲート線上の画素列を表示することになる。
【００４５】
一方、上記構成の液晶装置では、駆動方法としては対向電極５の電圧を１水平期間以上の所定数の水平期間ごとに反転させるＨ／コモン反転駆動法を用いている。すなわち、液晶印加電圧は、１以上の所定数（自然数）の水平ライン毎に反転し、フレーム周期で極性反転する。また、対向電極電圧も前記１以上の所定数の水平ライン毎に極性反転する。
【００４６】
図５は、図２における対向電極５のコモン反転駆動に伴って、画素電極４に生じる実効電圧の低下分ΔＶを示している。Ｖは低下したソース線電位（画素電極電圧）を、Ｖｉｄは理想値に近いソース線電位を示している。この画素電極４における実効電圧の低下した分に相当する誤差電圧ΔＶは、デマルチプレクサ部９Ａの第１のデマルチプレクサ(91)における最初にオンするＴＦＴスイッチ９１ａに接続したソース線１の電位の変化量（換言すれば、そのソース線１を通して画素電極４に印加されるＲ信号の電圧ＯＳ1の変化量）ΔＶGに基づくものとなっている。
【００４７】
図６は、コモン反転駆動における、デマルチプレクサ部９Ａの第１のデマルチプレクサ(91)における最初にオンするＴＦＴスイッチ９１ａに接続したソース線１のＲ信号電位の変化量ΔＶGを示している。対向電極（ＣＯＭ）のコモン電位と共に、画素電極（ＰＩＸＥ）のソース線電位の変化が示してある。
【００４８】
ΔＶとΔＶGの関係は次式で表される。すなわち、
ΔＶ＝ΔＶG  ×ＣGD／（ＣGD＋ＣLC＋ＣSC）＋α           …（１）
＝K・ΔＶG ＋α
ここで、K＝ＣGD／（ＣGD＋ＣLC＋ＣSC）、αは誤差成分である。ソース線１の電位の変化量ΔＶGは、対向電極（COM）５の極性反転によりソース線（即ち画素電極PIXE）にたまった電位の変動を表している。
【００４９】
従って、実効電圧の低下分ΔＶを式（１）の演算によって求め、求めたΔＶを用いて低下したソース線電位（画素電極電圧）Ｖを補償してやれば、理想値に近いソース線電位Ｖidを得ることができる。Ｖidと、Ｖ及びΔＶとの関係は次式で表される。すなわち、
Ｖid＝Ｖ±ΔＶ                                              …（２）
ここで、Ｖは補償前のソース線電位、Ｖidは補償後のソース線電位である。式（２）における±の＋，−は対向電極（COM）の極性と逆極性に用いられる。つまり、対向電極（COM）が＋極性であれば−を用いた式となり、対向電極（COM）が−極性であれば＋を用いた式となる。
【００５０】
なお、画素電極４における実効電圧の低下した分の誤差電圧ΔＶは、デマルチプレクサ部９Ａの第２のデマルチプレクサ(92)についても同様に適用できる。つまり、誤差電圧ΔＶは、デマルチプレクサ部９Ａの第２のデマルチプレクサ(92)おける最初にオンするＴＦＴスイッチ９２ａに接続したソース線１の電位の変化量（換言すれば、そのソース線１を通して画素電極４に印加されるＲ信号の電圧ＯＳ4の変化量）ΔＶGに基づくものとなっており、ΔＶとΔＶGの関係は式（１）と同様となる。また、補償前のソース線電位Ｖと、補償後のソース線電位Ｖidの関係も、式（２）と同様となる。
【００５１】
以上述べたように本発明の第１の実施形態によれば、多マルチプレクス駆動でかつコモン反転駆動を行う電気光学装置において、デマルチプレクサ部の各デマルチプレクサの最初に選択されるデマルチプレクススイッチについて、該スイッチのオンによる画素電極への画素書き込み時に実効電圧が低下するのを補償して、色むらを無くすことが可能となる。
【００５２】
［第２の実施形態］
図７は本発明の第２の実施形態の電気光学装置の構成を示す図である。図２の第１の実施形態と同様、電気光学物質として液晶を用いた液晶装置について説明する。図２の場合と同様に、ゲート線を駆動するゲートドライバ６、及びビデオ信号源１１は図１と同様であるので、図１と同一符号を付してある。
【００５３】
第２の実施形態に示す液晶装置で、第１の実施形態と異なる点は、第１の実施形態では３マルチプレクス駆動の装置であったのに対し、本第２の実施形態では６マルチプレクス駆動の装置である点である。Ｈ／コモン反転駆動を行うことは第１の実施形態と同様である。
【００５４】
図７において、液晶表示部８Ａは構造的には図２に示したものと同様であるので、図２と同一符号を付してある。６マルチプレクス駆動であるため、画素数を多くして説明することが必要であるために、図２の３マルチプレクス駆動の場合より画素数を増やして示してある。液晶表示部８Ａには、複数のソース線１、複数のゲート線２、画素電極４、対向電極５、液晶層２１ａ、保持容量２２、容量線２３、コモン電圧供給源２４が配設されている。
【００５５】
液晶表示部８Ａに近接して、液晶表示部８Ａと一体的に接続したデマルチプレクサ部９Ｂが配設されている。デマルチプレクサ部９Ｂは、第１のデマルチプレクサとしての６信号選択用のセレクタ９１Ａ、第２のデマルチプレクサとしての６信号選択用のセレクタ９２Ａ、……を備えて構成されている。
【００５６】
図８は、図７におけるデマルチプレクサ部９の動作を説明するタイミングチャートを示している。Ｈsyncは水平同期信号、１Ｈは１水平期間、ＳＥＬ１’〜ＳＥＬ６’はデマルチプレクサ部９Ｂで用いられる選択信号、ＯＳ1’〜ＯＳｍ’は複数のソース線１に振り分けられたＲ，Ｇ，Ｂの画素信号を表している。  
デマルチプレクサ部９Ｂは、第１,第２,…のデマルチプレクサとしての第１,第２,…の６信号選択用セレクタ９１Ａ，９２Ａ，……を備えて構成されている。
【００５７】
デマルチプレクサ部９Ｂでは、ソースドライバ７Ｂから供給される複数組のＲＧＢＲＧＢシリアル（Ｒ，Ｇ，Ｂ，Ｒ，Ｇ，Ｂの６つの信号が時分割多重された信号）信号Ｓ１’，Ｓ2’，……を組ごとに選択信号ＳＥＬ１’，ＳＥＬ２’，ＳＥＬ３’，ＳＥＬ４’，ＳＥＬ５’，ＳＥＬ６’を用いてデマルチプレクスすることによってＲ，Ｇ，Ｂ，Ｒ，Ｇ，Ｂ個々の６つの信号に分解し、各組ごとに同じタイミングで時間順次に分解したパラレル信号（ＯＳ1’〜ＯＳ６’），（ＯＳ７’〜ＯＳ１２’），……（ＯＳｍ−５’〜ＯＳｍ’）として、液晶表示部８Ａの複数のソース線１の入力端子Ｄ１〜Ｄｍに供給する。
【００５８】
選択信号ＳＥＬ１’，ＳＥＬ２’，ＳＥＬ３’，ＳＥＬ４’，ＳＥＬ５’，ＳＥＬ６’は、１水平期間を６分割した期間のそれぞれの期間にハイレベル信号としてソースドライバ７Ｂから出力される。これらの選択信号ＳＥＬ１’，ＳＥＬ２’，ＳＥＬ３’，ＳＥＬ４’，ＳＥＬ５’，ＳＥＬ６’は、６信号選択用セレクタ９１Ａ，９２Ａ，……のいずれに対しても同じタイミングで供給される。
【００５９】
デマルチプレクサ部９Ｂは、ソースドライバ７Ｂからの複数組のＲＧＢＲＧＢシリアル信号Ｓ１’，Ｓ2’，……を複数のソース線１に割り振るラインセレクタとして機能する。
【００６０】
例えば、６信号選択用セレクタ９１Ａは、６つのＴＦＴスイッチ９１ａ，９１ｂ，９１ｃ，９１ｄ，９１ｅ，９１ｆを備え、シリアル信号Ｓ１’が入力する信号線１２がＴＦＴスイッチ９１ａ，９１ｂ，９１ｃ，９１ｄ，９１ｅ，９１ｆの共通接続されたソースに接続し、ＴＦＴスイッチ９１ａ，９１ｂ，９１ｃ，９１ｄ，９１ｅ，９１ｆの各々のドレインが６本のソース線の入力端子Ｄ１，Ｄ２，Ｄ３，Ｄ４，Ｄ５，Ｄ６にそれぞれ接続し、ＴＦＴスイッチ９１ａ，９１ｂ，９１ｃ，９１ｄ，９１ｅ，９１ｆの各々のゲートが選択信号ＳＥＬ１’，ＳＥＬ２’，ＳＥＬ３’，ＳＥＬ４’，ＳＥＬ５’，ＳＥＬ６’がそれぞれ供給される６本の選択信号線１３に接続している。選択信号ＳＥＬ１’，ＳＥＬ２’，ＳＥＬ３’，ＳＥＬ４’，ＳＥＬ５’，ＳＥＬ６’を用いてソースドライバ７ＢからのＲＧＢＲＧＢシリアル信号Ｓ１’を時間的に順次のＲ，Ｇ，Ｂ，Ｒ，Ｇ，Ｂのパラレル信号ＯＳ1’，ＯＳ２’，ＯＳ３’，ＯＳ４’，ＯＳ５’，ＯＳ６’として振り分け、液晶表示部８Ａの入力端子Ｄ１〜Ｄ６へ入力して、最初の６本のソース線（図示左側）に供給する。
【００６１】
同様にして、６信号選択用セレクタ９２Ａは、６つのＴＦＴスイッチ９２ａ，９２ｂ，９２ｃ，９２ｄ，９２ｅ，９２ｆを備え、シリアル信号Ｓ２’が入力する信号線１２がＴＦＴスイッチ９２ａ，９２ｂ，９２ｃ，９２ｄ，９２ｅ，９２ｆの共通接続されたソースに接続し、ＴＦＴスイッチ９２ａ，９２ｂ，９２ｃ，９２ｄ，９２ｅ，９２ｆの各々のドレインが６本のソース線の入力端子Ｄ７，Ｄ８，Ｄ９，Ｄ１０，Ｄ１１，Ｄ１２にそれぞれ接続し、ＴＦＴスイッチ９２ａ，９２ｂ，９２ｃ，９２ｄ，９２ｅ，９２ｆの各々のゲートが選択信号ＳＥＬ１’，ＳＥＬ２’，ＳＥＬ３’，ＳＥＬ４’，ＳＥＬ５’，ＳＥＬ６’がそれぞれ供給される３本の選択信号線１３に接続している。選択信号ＳＥＬ１’，ＳＥＬ２’，ＳＥＬ３’，ＳＥＬ４’，ＳＥＬ５’，ＳＥＬ６’を用いてソースドライバ７ＢからのＲＧＢＲＧＢシリアル信号Ｓ２’を時間的に順次のＲ，Ｇ，Ｂ，Ｒ，Ｇ，Ｂのパラレル信号ＯＳ７’，ＯＳ８’，ＯＳ９’，ＯＳ１０’，ＯＳ１１’，ＯＳ１２’として振り分け、液晶表示部８Ａの入力端子Ｄ７〜Ｄ１２へ入力して、次の６本のソース線に供給する。
【００６２】
以下同様にして、最後の６信号選択用セレクタでは、選択信号ＳＥＬ１，ＳＥＬ２，ＳＥＬ３，ＳＥＬ４１，ＳＥＬ５，ＳＥＬ６を用いてソースドライバ７Ｂからの１水平期間における最後のＲＧＢＲＧＢシリアル信号を時間的に順次のＲ，Ｇ，Ｂ，Ｒ，Ｇ，Ｂのパラレル信号ＯＳｍ−５’，ＯＳｍ−４’，ＯＳｍ−３’，ＯＳｍ−２’，ＯＳｍ−１’，ＯＳｍ’として振り分け、液晶表示部８Ａの入力端子Ｄｍ−５’〜Ｄｍ’へ入力して、最後の６本のソース線（図示せず）に供給する。
【００６３】
このように、選択信号ＳＥＬ１’〜ＳＥＬ６’が６信号選択用のセレクタ９１Ａ，９２Ａ，……のいずれに対しても同じタイミングで供給されるので、各組ごとのパラレル信号（ＯＳ1’〜ＯＳ６’），（ＯＳ７’〜ＯＳ１２’），……（ＯＳｍ−５’〜ＯＳｍ’）は１水平期間に選択信号ＳＥＬ１’，ＳＥＬ２’，ＳＥＬ３’，ＳＥＬ４’，ＳＥＬ５’，ＳＥＬ６’とほぼ同じタイミングで液晶表示部８Ａの複数（ｍ本）のソース線１に同時的に供給され、アクティブ状態のゲート線上の画素列を表示することになる。
【００６４】
一方、上記構成の液晶装置では、駆動方法としては図２の第１の実施形態と同様に、対向電極５の電圧を１水平期間以上の所定数の水平期間ごとに反転させるＨ／コモン反転駆動法である。すなわち、液晶印加電圧は、１以上の所定数の水平ライン毎に反転し、フレーム周期で極性反転する。また、対向電極電圧も前記１以上の所定数の水平ライン毎に極性反転する。このようなコモン反転駆動を行うと、図２の液晶装置の場合と同様に、対向電極５のコモン反転駆動に伴って、画素電極４に生じる実効電圧の低下の不具合を生じる。ゲート線上の第１〜第６の画素電極４における実効電圧の低下した誤差電圧ΔＶは、デマルチプレクサ部９Ｂの第１のデマルチプレクサ(91A)における最初にオンするＴＦＴスイッチ９１ａに接続したソース線１の電位の変化量（換言すれば、そのソース線１を通して画素電極４に印加されるＲ信号電圧ＯＳ1の変化量）ΔＶGに基づくものとなっている。同様に、ゲート線上の第７〜第１２の画素電極４における実効電圧の低下した誤差電圧ΔＶは、デマルチプレクサ部９Ｂの第２のデマルチプレクサ(92A)における最初にオンするＴＦＴスイッチ９２ａに接続したソース線１の電位の変化量（換言すれば、そのソース線１を通して画素電極４に印加されるＲ信号電圧ＯＳ７の変化量）ΔＶGに基づくものとなっている。以下同様にして、ゲート線上の第１３以降の画素電極４における実効電圧の低下した誤差電圧ΔＶは、デマルチプレクサ部９Ｂの第３のデマルチプレクサ(93A)以降における最初にオンするＴＦＴスイッチに接続したソース線１の電位の変化量ΔＶGに基づくものとなっている。
【００６５】
従って、第２の実施形態においても、第１の実施形態で述べた式（１），（２）を適用して、実効電圧の低下分ΔＶを式（１）の演算によって求め、求めたΔＶを用いて低下したソース線電位（画素電極電圧）Ｖを補償してやれば、理想値に近いソース線電位Ｖidを得ることができる。  
なお、第２の実施形態においても、ソースドライバ７Ｂに設けられる記憶手段としては、フレームメモリであってもよいし、或いは、信号源からのＲ，Ｇ，Ｂの画素信号を１水平期間以上の所定数の水平期間分記憶する記憶手段（ラインメモリを含む）であってもよい。
【００６６】
以上述べたように本発明の第２の実施形態によれば、多マルチプレクス駆動でかつコモン反転駆動を行う電気光学装置において、デマルチプレクサ部の各デマルチプレクサの最初に選択されるデマルチプレクススイッチについて、該スイッチのオンによる画素電極への画素書き込み時に実効電圧が低下するのを補償して、色むらを無くすことが可能となる。
【００６７】
以上述べた実施形態は、３マルチプレクス駆動及び６マルチプレクス駆動の例について説明したが、本発明はこれに限らず、ｎ（ｎは自然数）マルチプレクス駆動の電気光学装置及びこれを用いた電子機器に応用することが可能である。
【００６８】
［電子機器］
以下、本発明の電気光学装置を備えた電子機器の具体例について説明する。  
図９は、以上の実施形態で説明した液晶装置を用いて構成される電子機器の外観を示す図である。携帯電話機の一例を示した斜視図である。
【００６９】
この図において、符号２００は携帯電話本体を示し、２０１は上記の液晶装置を用いた液晶表示部を示している。２０２は表示部側筐体、２０３は操作部側筐体、２０４は両筐体を折り曲げ可能に連結するヒンジ部である。  
図９に示す電子機器は、多マルチプレクス駆動でかつコモン反転駆動を行う液晶装置おいて、デマルチプレクススイッチのオンによる画素電極への画素書き込み時に実効電圧が低下するのを補償して、色むらを無くした電子機器を実現することができる。
【００７０】
尚、本発明の電気光学装置では、対向電極のコモン反転駆動の極性が反転したときに、画素電極に印加される電圧の変化量を演算し、それに基づいて、前記コモン反転駆動ごとに生じる画素電極の電位変動を補償するものであったが、ビデオ信号源が静止画像信号を供給するものである場合には、同じ静止画像がである限りはコモン反転駆動ごとに演算して画素電極電圧を補償する必要はなく、最初のコモン反転駆動時に演算した結果に基づい補償電圧を使用し続けることが可能である。すなわち、前記補償手段は、ソースドライバに設けて、前記演算手段の算出結果に基づいて、１フレームにつき少なくとも一組のＲ，Ｇ，Ｂの画素信号の組ごとに補償電圧を生成し、前記信号源からの映像信号が静止画信号である場合、この補償電圧を以降の前記信号源から供給されるフレーム単位の画像信号に対して用いて、少なくとも一組のＲ，Ｇ，Ｂの画素信号の組全ての最初の信号の画素電極の電位変動を継続して補償するようにすれば、多数枚のフレームに対して同じ補償電圧を使いつづければよく、省エネルギーな回路動作を実現することができる。
【００７１】
また、本発明の電気光学装置では、多マルチプレクス駆動のマルチプレクス数が増えるほど、例えば第１の実施形態の３マルチプレクス駆動より第２の実施形態の６マルチプレクス駆動の方が、選択信号線数が増えても、ソースドライバから表示部付近のデマルチプレクサ部へ送信するデータ信号線数は少なくなるが、１画素当たりのデータ書込み時間が短くなることになる。
【産業上の利用可能性】
【００７２】
本発明の電気光学装置は、液晶装置だけではなく、電気光学物質にＲ，Ｇ，Ｂ等の映像信号を供給して表示を行うエレクトロルミネッセンス装置、有機エレクトロルミネッセンス装置、プラズマディスブレイ装置、電気泳動ディスプレイ装置、電子放出素子を用いた装置（Field Emission Display 及び Surface-Conduction Electron-Emitter Display等）などの各種の電気光学装置においても本発明を同様に適用することが可能である。
【図面の簡単な説明】
【００７３】
【図１】本発明に係る電気光学装置の概略構成を示す図。
【図２】本発明の第１の実施形態の電気光学装置の構成を示す図。
【図３】図２における画素部分を拡大して示す図。
【図４】図２におけるデマルチプレクサ部の動作を説明するタイミングチャート。
【図５】図２における対向電極のコモン反転駆動に伴って画素電極に生じる実効電圧の低下の不具合を説明する図。
【図６】Ｈ／コモン反転駆動における、デマルチプレクサ部の各デマルチプレクサにおける最初にオンするＴＦＴスイッチに接続したソース線の電位の変化量ΔＶGを示す図。
【図７】本発明の第２の実施形態の電気光学装置の構成を示す図。
【図８】図７におけるデマルチプレクサ部の動作を説明するタイミングチャート。
【図９】本発明の液晶装置を備えた電子機器の一例を示す斜視図。
【符号の説明】
【００７４】
１…ソース線（データ線）、２…ゲート線（走査線）、３…ＴＦＴ、４…画素電極、５…対向電極、６…ゲートドライバ、７…ソースドライバ、８…液晶表示部（表示部）、９…デマルチプレクサ部、１０…ドライバ部、１１…ビデオ信号源（信号源）、２４…コモン電圧供給源（コモン電圧駆動手段）、９１Ａ，９２…３信号選択用セレクタ（第１，第２のデマルチプレクサ）、９１Ａ，９２Ａ…６信号選択用セレクタ（第１，第２のデマルチプレクサ）。
【図１】
0004760214.tif 000002
【図２】
0004760214.tif 000003
【図３】
0004760214.tif 000004
【図４】
0004760214.tif 000005
【図５】
0004760214.tif 000006
【図６】
0004760214.tif 000007
【図７】
0004760214.tif 000008
【図８】
0004760214.tif 000009
【図９】
0004760214.tif 000010